(57)【要約】【課題】振動出力用アクチュエータを用いた簡単な発音構造で大きな音を発生させる。【解決手段】面状に広がる振動板１２ａを有する発音具１２と、振動板１２ａの面に沿って延設して発音具１２に接合した振動伝播具１３と、振動伝播具１３に出力振動を伝達する振動出力用アクチュエータ１４を備えたこと。振動板１２ａの面状には平面及び曲面を含む。【効果】…発音具１２と振動伝播具１３とアクチュエータ１４とで発音させる簡単な構造とすることができると共に、アクチュエータ１４から出力された振動を振動伝播具１３から発音具１２へ効率よく伝達することで、大きな音を発生させることができる。【選択図】図１
2005348294.tif 000002
【特許請求の範囲】
【請求項１】
面状に広がる振動板を有する発音具と、振動板の面に沿って延設して発音具に接合した振動伝播具と、振動伝播具に出力振動を伝達する振動出力用アクチュエータを備えたことを特徴とする発音構造。
【請求項２】
前記振動伝播具の曲げ剛性は、前記振動板の曲げ剛性より大きい請求項１記載の発音構造。
【請求項３】
前記振動伝播具は、直線状に延びる方向の異なる複数の条部を接合したものである請求項１又は２記載の発音構造。
【請求項４】
前記振動伝播具は、彎曲状に延びたものである請求項１又は２記載の発音構造。
【請求項５】
前記発音具は、発音できる周波数領域の異なる複数個からなる請求項１乃至４のいずれか１項に記載の発音構造。
【請求項６】
二個の前記発音具の振動板どうしが空間部を介して対峙している請求項１乃至４のいずれか１項に記載の発音構造。
【請求項７】
請求項１又は２記載の発音構造を有する部屋構築用パネルであって、前記発音具が面材で形成され、前記振動伝播具が四角枠状のフレームで形成されたことを特徴する発音構造を有する部屋構築用パネル。
【請求項８】
請求項７記載の発音構造を有する部屋構築用パネルを用いて室内壁面を形成した部屋であって、室内の内隅部が前記部屋構築用パネルで形成され、前記部屋構築用パネルのフレームの該内隅部側に位置する箇所に、前記振動出力用アクチュエータからの出力振動を伝達させることを特徴とする発音構造を有する部屋。
【請求項９】
前記隣接する内隅部が異なる前記部屋構築用パネルで形成された請求項８記載の発音構造を有する部屋。
【請求項１０】
請求項１又は２記載の発音構造を床に備えた部屋であって、前記発音具が床面材で形成され、前記振動伝播具が床面材を支持する支持材で形成されたことを特徴する発音構造を有する部屋。
【請求項１１】
請求項１又は２記載の発音構造を防水パンに備えた部屋であって、前記発音具が防水パンの床面部で形成され、該床面部の室外側に前記振動伝播具が配設されていることを特徴する発音構造を有する部屋。
【請求項１２】
前記床面部の室外側に、空間部を介して前記床面部と対峙する面状に広がる振動板を有する発音具が配設されている請求項１１記載の発音構造を有する部屋。
【請求項１３】
キャビネット本体の収納空間部を扉で開閉するキャビネットにおいて、扉が請求項１乃至５のいずれか１項に記載の発音構造を有し、前記発音具が扉の表面材で形成されていることを特徴とする発音構造を有するキャビネット。
【請求項１４】
キャビネット本体の収納空間部を扉で開閉するキャビネットにおいて、扉が請求項６記載の発音構造を有し、前記二個の発音具の一方が扉の表面材で形成され、他方が扉の裏面材で形成され、これら表裏面材で挟まれる前記空間部が扉に形成され、扉を閉じたときに扉の前記空間部と収納空間部とを連通させる開口部が扉に設けられていることを特徴とする発音構造を有するキャビネット。
【請求項１５】
基盤と、基盤にその一部が支持され面状に広がる振動板を有する発音具と、振動板の面に沿って延設して基盤で支持され且つ発音具に接する振動伝播部と、振動伝播部に出力振動を伝達する振動出力用アクチュエータを備え、発音具の曲げモーメントによる押圧力を基盤及び振動伝播部で受けるようにしたことを特徴とする発音構造。
【請求項１６】
前記発音具は、一方側が前記基盤で支持され、他方側が自由端である請求項１５記載の発音構造。
【請求項１７】
前記発音具は、その中間部が前記振動伝播部に接し、その中間部を挟む両側が前記基盤で支持されている請求項１５記載の発音構造。
【請求項１８】
前記発音具は、固有振動数の異なる複数個からなる請求項１５乃至１７のいずれか１項に記載の発音構造。
【発明の詳細な説明】
【技術分野】
【０００１】
本発明は、振動出力用アクチュエータを用いた発音構造、この発音構造を有する部屋構築用パネル、部屋及びキャビネットに関するものである。
【背景技術】
【０００２】
振動出力用アクチュエータとしては、特許文献１に超磁歪アクチュエータが開示されている。超磁歪材料は、磁界中で磁界方向に１５００〜２０００ｐｐｍもの大変位を生じ、その発生応力が大きく、応答速度も速く、低電圧で駆動することができるなどの利点があるため、電気エネルギーを機械エネルギーに変換するアクチュエータとして近年注目されている。
【０００３】
【特許文献１】特開平１１−２６６４９６号公報
【０００４】
前記超磁歪アクチュエータ１は、図２２に示す如く、ケーシング２内に、音信号が供給される電磁コイル３と、電磁コイル３で生ずる磁界変化により自由端４ａ側が伸縮する超磁歪ロッド４と、超磁歪ロッド４の圧縮方向にプリストレスを付与するスプリング５と、超磁歪ロッド４にバイアス磁界を付与する磁石６が内蔵されている。そして、超磁歪ロッド４の自由端４ａには、プッシュロッド７を介して音声出力部となる振動板８が取り付けられ、電磁コイル３に音声信号を供給することにより磁界変化を生じさせ、超磁歪ロッド４を伸縮させて音声信号に応じた変位を振動板８に伝達して音声に変換するように成されている。したがって、これを使用する場合には、アクチュエータ１のケーシング２を重く剛性の大きい箱体９に固定することにより、超磁歪ロッド４の反作用により生ずる力を無駄にすることなく、高い音圧で音声を発することができる。このように構成された発音構造１０は、重く剛性の大きい箱体９にアクチュエータ１のケーシング２を固定し、アクチュエータ１のプッシュロッド７に振動板８を取り付けたものである。
【発明の開示】
【発明が解決しようとする課題】
【０００５】
本発明者らは、重く剛性の大きい箱体９にアクチュエータ１のケーシング２を固定すると共に、アクチュエータ１のプッシュロッド７に振動板８を直接取り付ける従来の固定概念を打破して、汎用性の高い発音構造を開発するために幾多の実験を繰り返した結果、振動板に接合した比較的曲げ強度の大きい部材にアクチュエータの出力端から出力される振動を伝達することで、音楽等の音を充分に聞き取ることができる知見を得た。
【０００６】
本発明は、かかる知見に基づいて構造が簡単で、効率的に高音質の音を発することができる発音構造、この発音構造を有する部屋構築用パネル、部屋及びキャビネットの提供を目的とする。
【課題を解決するための手段】
【０００７】
簡単な発音構造で大きな音を発生させるために請求項１記載の本発明が採用した手段は、面状に広がる振動板を有する発音具と、振動板の面に沿って延設して発音具に接合した振動伝播具と、振動伝播具に出力振動を伝達する振動出力用アクチュエータを備えたことを特徴とする発音構造である。前記面状には平面及び曲面を含む。
本発明にあっては、振動出力用アクチュエータから振動伝播具へ出力された振動は、振動伝播具の延設方向に沿った広範囲に伝播して、振動伝播具と発音具の接合箇所を介して発音具へ伝達し、発音具の振動板を振動させて発音させる。この接合箇所が振動板の面に沿って延びるために、振動伝播具から発音具へ振動が効率よく伝達し、大きな音を発生させることができる。
【０００８】
発音具の振動板を広範囲に振動させるために請求項２記載の本発明が採用した手段は、前記振動伝播具の曲げ剛性は、前記振動板の曲げ剛性より大きい請求項１記載の発音構造である。
本発明にあっては、振動伝播具が、その曲げ剛性を振動板に比べて大きくすることにより、振動出力用アクチュエータから受けた振動を、振動伝播具の長手方向に沿う広範囲へ伝達させることができ、発音具の振動板を広範囲に振動させることができる。
【０００９】
振動伝播具を発音具の形状や振動特性等に対応させるために請求項３記載の本発明が採用した手段は、前記振動伝播具は、直線状に延びる方向の異なる複数の条部を接合したものである請求項１又は２記載の発音構造である。
本発明にあっては、直線状に延びる方向の異なる複数の条部を接合することで、振動伝播具の形状をＬ字，コ字又はロ字状等に形成できる。
【００１０】
振動伝播具を発音具の形状や振動特性等に対応させるために請求項４記載の本発明が採用した手段は、前記振動伝播具は、彎曲状に延びたものである請求項１又は２記載の発音構造である。
本発明にあっては、振動伝播具の形状をＣ字状又は○状等とすることができる。
【００１１】
広い周波数領域にわたって発音できるようにするために請求項５記載の本発明が採用した手段は、前記発音具は、発音できる周波数領域の異なる複数個からなる請求項１乃至４のいずれか１項に記載の発音構造である。なお、複数個の発音具の各々は、振動板について、材質、面状の大きさ、及び／又は厚みを異にすることで、発音できる周波数領域を適宜選択することができる。
本発明にあっては、発音できる周波数領域の異なる複数個の発音具を備えることで、全体の発音できる周波数領域を広くできる。
【００１２】
大きな音を発生させるために請求項６記載の本発明が採用した手段は、二個の前記発音具の振動板どうしが空間部を介して対峙している請求項１乃至４のいずれか１項に記載の発音構造である。なお、二個の発音具の各々は、振動板について、材質、面状の大きさ、及び／又は厚みを異にすることで、発音できる周波数領域を適宜選択することができる。  本発明にあっては、空間部で共振を起こし特定の周波数が増強される。
【００１３】
部屋構築用パネルに発音構造を備えるために請求項７記載の本発明が採用した手段は、請求項１又は２記載の発音構造を有する部屋構築用パネルであって、前記発音具が面材で形成され、前記振動伝播具が四角枠状のフレームで形成されたことを特徴する発音構造を有する部屋構築用パネルである。
本発明にあっては、振動出力用アクチュエータから四角枠状のフレームへ出力された振動は、フレームの延設方向に沿う広範囲に伝播して、フレームと面材の接合箇所を介して面材へ伝達し、面材のフレームで囲まれた内側域を振動させて発音させる。この接合箇所が面材の周辺に沿って延びるために、フレームから面材へ振動が効率よく伝達し、大きな音を発生させることができる。
【００１４】
大きな音を発生させるために請求項８記載の本発明が採用した手段は、請求項７記載の発音構造を有する部屋構築用パネルを用いて室内壁面を形成した部屋であって、室内の内隅部が前記部屋構築用パネルで形成され、前記部屋構築用パネルのフレームの該内隅部側に位置する箇所に、前記振動出力用アクチュエータからの出力振動を伝達させることを特徴とする発音構造を有する部屋である。
本発明にあっては、振動出力用アクチュエータからフレームの室内内隅部側に位置する箇所へ出力された振動は、フレームの延設方向に沿う広範囲に伝播して、フレームと面材の接合箇所を介して面材へ伝達し、面材の内隅部側に位置する領域を振動させ、内隅部側に大きな音を発生させることができる。部屋構築用パネルの面材から発せられた音は、室内内隅部を形成する両側の壁面で反射して増強される。
【００１５】
立体音響を得るために請求項９記載の本発明が採用した手段は、前記隣接する内隅部が異なる前記部屋構築用パネルで形成された請求項８記載の発音構造を有する部屋である。  本発明にあっては、別異の振動出力用アクチュエータを用いて隣接する内隅部から音が発せられる。
【００１６】
部屋の床部から発音させるために請求項１０記載の本発明が採用した手段は、請求項１又は２記載の発音構造を床に備えた部屋であって、前記発音具が床面材で形成され、前記振動伝播具が床面材を支持する支持材で形成されたことを特徴する発音構造を有する部屋である。支持材としては、根太等が選択される。
本発明にあっては、振動出力用アクチュエータから支持材へ出力された振動は、支持材の延設方向に沿う広範囲に伝播して、支持材と床面材の接合箇所を介して床面材へ伝達し、床面材を振動させて発音させる。この接合箇所が床面材の面状に広がる振動板の面に沿って延びるために、支持材から床面材へ振動が効率よく伝達し、大きな音を発生させることができる。
【００１７】
部屋の防水パンから発音させるために請求項１１記載の本発明が採用した手段は、請求項１又は２記載の発音構造を防水パンに備えた部屋であって、前記発音具が防水パンの床面部で形成され、該床面部の室外側に前記振動伝播具が配設されていることを特徴する発音構造を有する部屋である。
本発明にあっては、振動出力用アクチュエータから振動伝播具へ出力された振動は、振動伝播具の延設方向に沿う広範囲に伝播して、振動伝播具と床面部の接合箇所を介して床面部へ伝達し、床面部を振動させて発音させる。この接合箇所が床面部の面状に広がる振動板の面に沿って延びるために、振動伝播具から床面部へ振動が効率よく伝達し、大きな音を発生させることができる。
【００１８】
大きな音を発生させるために請求項１２記載の本発明が採用した手段は、前記床面部の室外側に、空間部を介して前記床面部と対峙する面状に広がる振動板を有する発音具が配設されている請求項１１記載の発音構造を有する部屋である。
本発明にあっては、空間部で共振を起こし特定の周波数が増強される。
【００１９】
キャビネットに発音構造を備えるために請求項１３記載の本発明が採用した手段は、キャビネット本体の収納空間部を扉で開閉するキャビネットにおいて、扉が請求項１乃至５のいずれか１項に記載の発音構造を有し、前記発音具が扉の表面材で形成されていることを特徴とする発音構造を有するキャビネット。
本発明にあっては、振動出力用アクチュエータから振動伝播具へ出力された振動が、振動伝播具の広い範囲に伝播して扉の表面材を振動させて発音させることができる。
【００２０】
大きな音を発生させるために請求項１４記載の本発明が採用した手段は、キャビネット本体の収納空間部を扉で開閉するキャビネットにおいて、扉が請求項６記載の発音構造を有し、前記二個の発音具の一方が扉の表面材で形成され、他方が扉の裏面材で形成され、これら表裏面材で挟まれる前記空間部が扉に形成され、扉を閉じたときに扉の前記空間部と収納空間部とを連通させる開口部が扉に設けられていることを特徴とする発音構造を有するキャビネットである。
本発明にあっては、扉の空間部で共振を起こし特定の周波数が増強されると共に、扉を閉じたときには、扉の開口部からキャビネット本体の収納空間部へ拡散した音が、収納空間部で共振を起こし特定の周波数が増強される。
【００２１】
簡単な発音構造とするために請求項１５記載の本発明が採用した手段は、基盤と、基盤にその一部が支持され面状に広がる振動板を有する発音具と、振動板の面に沿って延設して基盤で支持され且つ発音具に接する振動伝播部と、振動伝播部に出力振動を伝達する振動出力用アクチュエータを備え、発音具の曲げモーメントによる押圧力を基盤及び振動伝播部で受けるようにしたことを特徴とする発音構造である。振動伝播部から基盤への振動の伝達を抑制するために、基盤と振動伝播部の間に防振材を介在させることもある。振動伝播部が発音具に接する態様としては、線で接する場合、接合して接する場合がある。
本発明にあっては、振動出力用アクチュエータから振動伝播具へ出力された振動は、振動伝播具の延設方向に沿う広範囲に伝播して、振動伝播具と発音具の圧接箇所を介して発音具へ伝達し、発音具の振動板を振動させて発音させる。この圧接箇所が発音具の面状に広がる振動板の面に沿って延びるために、振動伝播具から発音具へ振動が効率よく伝達し、大きな音を発生させることができる。
【００２２】
広い周波数領域にわたって発音できるようにするために請求項１６記載の本発明が採用した手段は、前記発音具は、一方側が前記基盤で支持され、他方側が自由端である請求項１５記載の発音構造である。
本発明にあっては、発音具における、基盤に支持された箇所から振動伝播部に接する箇所までの両側支持領域と、振動伝播部に接する箇所から自由端までの張出し領域とで、発音できる周波数領域を異なるようにできるため、全体の発音できる周波数領域を広くできる。
【００２３】
発音具と振動伝播部との安定した圧接を確保するために請求項１７記載の本発明が採用した手段は、前記発音具は、その中間部が前記振動伝播部に接し、その中間部を挟む両側が前記基盤で支持されている請求項１５記載の発音構造である。広い周波数領域にわたって発音できるようにするために基盤に接合された一方の接合箇所から中間部までの寸法と、基盤に接合した他方の接合箇所から中間部までの寸法とを異なるようにすることもある。
本発明にあっては、振動伝播部から発音具の中間部へ伝達する反力は、発音具の両側に分散されて基盤へ伝達される。
【００２４】
広い周波数領域で発音できるようにするために請求項１８記載の本発明が採用した手段は、前記発音具は、固有振動数の異なる複数個からなる請求項１５乃至１７のいずれか１項に記載の発音構造である。なお、複数個の発音具の各々は、振動板について、材質、面状の大きさ、及び／又は厚みを異にすることで、発音できる周波数領域を適宜選択することができる。
本発明にあっては、発音できる周波数領域の異なる複数個の発音具を備えることで、全体の発音できる周波数領域を広くできる。
【００２５】
大きな音を発生させるために請求項１乃至１８記載の振動出力用アクチュエータとして、音信号が供給される電磁コイルと、該電磁コイルで生ずる磁界変化により出力端側が伸縮する超磁歪ロッドとを備え、超磁歪ロッドの出力端側から出力振動を発する超磁歪アクチュエータを用いることがある。
【発明の効果】
【００２６】
請求項１記載の本発明に係る発音構造は、発音具と振動伝播具と振動出力用アクチュエータとで発音させる簡単な構造とすることができると共に、振動出力用アクチュエータから出力された振動を振動伝播具から発音具へ効率よく伝達することで、大きな音を発生させることができる。
請求項２記載の本発明に係る発音構造は、発音具の振動板を広範囲に振動させて大きな音を発生させることが可能となる。
請求項３及び４記載の本発明に係る発音構造は、発音具の形状等に基づく周波数特性に対応させた振動伝播具の形状を得ることができる。
請求項５記載の本発明に係る発音構造は、広い周波数領域にわたって発音できるため、音質の向上が図れる。
請求項６記載の本発明に係る発音構造は、空間部で共振を起こし特定の周波数が増強されるため、更に大きな音を発生させることができる。
【００２７】
請求項７記載の本発明に係る発音構造を有する部屋構築用パネルは、振動出力用アクチュエータから出力された振動をフレームから面材へ効率よく伝達することで、室内の内済み側大きな音を発生させることができる。
【００２８】
請求項８記載の本発明に係る発音構造を有する部屋は、部屋構築用パネルの面材から発せられた音が内隅部を形成する両側の壁面で反射して増強されるため、大きな音を発生させることができる。
請求項９記載の本発明に係る発音構造を有する部屋は、異なる振動出力用アクチュエータを用いて隣接する内隅部から音を発するため、立体音響を得ることかできる。
請求項１０記載の本発明に係る発音構造を有する部屋は、振動出力用アクチュエータから出力された振動を支持材から床面材へ効率よく伝達することで、床から大きな音を発生させることができる。
請求項１１記載の本発明に係る発音構造を有する部屋は、振動出力用アクチュエータから出力された振動を振動伝播具から床面部へ効率よく伝達することで、防水パンの床から大きな音を発生させることができる。
請求項１２記載の本発明に係る発音構造を有する部屋は、空間部で共振を起こし特定の周波数が増強されるため、更に大きな音を発生させることができる。
【００２９】
請求項１３記載の本発明に係る発音構造を有するキャビネットは、振動出力用アクチュエータから出力された振動を扉の表面材へ効率よく伝達することで、大きな音を発生させることができる。
請求項１４記載の本発明に係る発音構造を有するキャビネットは、扉の空間部及びキャビネット本体の収納空間部で共振を起こし特定の周波数が増強されるため、更に大きな音を発生させることができる。
【００３０】
請求項１５記載の本発明に係る発音構造は、基盤と発音具と振動伝播具と振動出力用アクチュエータとで発音させる簡単な構造とすることができると共に、振動出力用アクチュエータから出力された振動を振動伝播具から発音具へ効率よく伝達することで、大きな音を発生させることができる。
請求項１６記載の本発明に係る発音構造は、広い周波数領域にわたって発音できるため、音質の向上が図れる。
請求項１７記載の本発明に係る発音構造は、発音具の中間部を支持する反力が発音具の両側に分散して基盤へ伝達するので、発音具を安定した状態で支持して音質の安定を確保することができる。
請求項１８記載の本発明に係る発音構造は、広い周波数領域にわたって発音できるため、音質の向上が図れる。
【発明を実施するための最良の形態】
【００３１】
本発明に係る発音構造（以下、「本発明発音構造」と言う）、この発音構造を有する部屋構築用パネル（以下、「本発明パネル」と言う）、この発音構造を有する部屋（以下、「本発明部屋」と言う）、及び、この発音構造を有するキャビネット（以下、「本発明キャビネット」と言う）を図面に示す実施形態に基づいて説明する。
【００３２】
（第１の実施の形態）
図１乃至図６は第１の実施の形態に係る本発明発音構造を示すものであり、図１（Ａ）はＩ字状の振動伝播具１３を用いた場合の正面図、同図（Ｂ）は平面状の振動板１２ａを有する発音具１２を用いた場合の右側面図、同図（Ｃ）は彎曲した振動板１２ａを有する発音具１２を用いた場合の右側面図である。図２は振動伝播具１３に振動出力用アクチュエータ１４を保持具１７で取り付けた状態を拡大して示す断面図、図３は振動伝播具１３に振動出力用アクチュエータ１４を直接取り付けた状態を拡大して示す断面図である。図４（Ａ）はＬ字状の振動伝播具１３を用いた場合の正面図、図４（Ｂ）はコ字状の振動伝播具１３を用いた場合の正面図、図４（Ｃ）はロ字状の振動伝播具１３を用いた場合の正面図である。図５は環状の振動伝播具１３を用いた場合を示すものであり、（Ａ）は正面図、（Ｂ）は右側断面図である。図６はＣ字状の振動伝播具１３を用いた場合を示すものであり、（Ａ）は正面図、（Ｂ）は右側断面図である。
【００３３】
本発明発音構造１１−１は、図１に示す如く、面状に広がる振動板１２ａを有する発音具１２と、振動板１２ａの面に沿って矢符Ｌ方向へ延設して発音具１２に接合１５した振動伝播具１３と、振動伝播具１３に出力振動を伝達する振動出力用アクチュエータ１４を備えている。前記接合１５は、接着、ビス止め又は挟持（例えば、振動伝播具１３に設けた凹部に挟み込んだ発音具１２の部分を挟持）等により強固になされ、アクチュエータ１４から振動伝播具１３へ伝達した振動を、振動伝播具１３の長手方向（矢符Ｌ方向）に沿う広範囲から発音具１２へ確実に伝達するようにしてある。
【００３４】
前記発音具１２は、紙質、木質、金属若しくは合成樹脂等の単一素材から成形した単板、又は、これら単板の少なくとも二枚を積層した合板等が用いられる。発音具１２は、選択する材質や好みの音質に応じて、振動板１２ａを平面状（図１（Ｂ））に形成する以外に、曲面状（図１（Ｃ））に形成することもある。
【００３５】
前記振動伝播具１３は、木、金属若しくは合成樹脂等の単一素材から棒状に成形したもの、又は、これら単一素材から成形したものを棒状に積層したものが用いられる。振動伝播具１３は、図１（Ｂ）に示す高さ寸法Ｈ１及び厚み寸法Ｔ１のいずれもが、発音具１２の厚み寸法Ｔ２より大きくなっている。また、発音具１２及び振動伝播具１３の単独でみた曲げ剛性は、発音具１２の振動板１２ａに比べ振動伝播具１３の方が飛躍的に大きくなっている。このように、振動伝播具１３は、その曲げ剛性を発音具１２の振動板１２ａに比べて大きくすることにより、振動出力用アクチュエータ１４から受けた振動を、その長手方向（矢符Ｌ方向）に沿う広範囲へ伝達させることができ、発音具１２の振動板１２ａを広範囲に振動させて大きな音を発生させることが可能となる。
【００３６】
振動伝播具１３に対する振動出力用アクチュエータ１４の取り付けは、図２に示すように保持具１７を用いて行う場合と、図３に示すように直接接合する場合とがある。図２に示す保持具１７を用いたアクチュエータ取付け構造１６は、振動伝播具１３に取り付けられた保持具１７と、保持具１７に進退自在に保持された振動出力用アクチュエータ１４と、保持具１７とアクチュエータ１４の間に配置されてアクチュエータ１４を出力ロッド１８の先端側へ向かって押圧する押圧具１９とを備え、アクチュエータ１４の進退方向を出力ロッド１８の軸芯方向（矢符Ａ方向）に沿わせ、出力ロッド１８が軸芯方向に沿って往復移動することで生じる出力振動を振動伝播具１３へ伝達するようになっている。このアクチュエータ取付け構造１６は、アクチュエータ１４を保持した保持具１７を振動伝播具１３に取り付けることでアクチュエータ１４を簡単に取り付けることができ、アクチュエータ１４を出力ロッド１８の先端側へ向かって押圧具１９で押圧することで、振動伝播具１３に出力ロッド１８の先端を適切に押圧させて出力ロッド１８から発せられる出力振動を振動伝播具１３へ確実に伝達できる。
【００３７】
前記保持具１７は、筒部２０と、筒部２０の開口縁部２０ｄに螺合２１する蓋部２２と、筒部１７に設けた取付部２４を備え、筒部２０に内側にアクチュエータ１４を進退自在に収納し、筒部２０の底部２０ａに開口した貫通孔２０ｂから出力ロッド１８の先端側を突出させてある。筒部２０及び蓋部２２は、合成樹脂、金属、木質又はセラミック等の素材から成形される。保持具１７は、アクチュエータ１４のリード線２５が挿通する挿通孔２０ｃを、筒部２０の開口端面から切り込んだスリット等で形成してある。取付部２４は、筒部２０に一体に形成して外側へ突出するフランジ（本例の場合）や、筒部２０の外周面に巻き付け固定したバンドであって取付片付きのもの等が選択される。保持具１７は、振動伝播具１３に、取付部２４をビス（本例の場合）又はボルト・ナット等からなる取付具２６で取り付けてある。
【００３８】
前記押圧具１９は、バネ材、ゴム材等の弾性素材から成形され、その押圧力を押圧力調節具２３で調節できるようになっている。本例の押圧具１９は、アクチュエータ１４と蓋部２２の間に配置した圧縮コイルスプリングが用いられ。本例の押圧力調節具２３は、筒部２０の開口縁部２０ｄに螺合２１した蓋部２２が用いられ、蓋部２２のねじ込み寸法を変更して押圧具１９の反発弾性力を変更することで、振動伝播具１３に対する出力ロッド１８の押圧力を調整できるようにしてある。この調整により、出力ロッド１８から振動伝播具１３へ伝達する振動の状況を変更させて、好みの音質に調整できる。
【００３９】
前記押圧具１９は、弾性素材から成形されているために防振能力があり、出力ロッド１８から振動伝播具１３へ出力したときに生じる反発力による振動を保持具１７へ伝達するのを抑制する効果がある。押圧具１９は、押圧力の調節の容易性を確保しつつ防振能力を高めるために、押圧力の調節が容易な圧縮コイルスプリングと防振能力の高いゴム層を重ね合わせる等して組み合わせ、反発力による振動が圧縮コイルスプリング及びゴム層を伝達しながら減衰するように構成することもある。
【００４０】
前記アクチュエータ１４は、ケーシング２７内に、音信号が供給される電磁コイル２８と、電磁コイル２８で生ずる磁界変化により自由端側が伸縮する超磁歪ロッド２９と、超磁歪ロッド２９の自由端に当接する出力ロッド１８と、出力ロッド１８の鍔部１８ａを介して超磁歪ロッド２９の圧縮方向にプリストレスを付与するスプリング３０と、ヨーク３１が内蔵されている。本例のアクチュエータ１４は、超磁歪ロッド２９を二本に分割し、分割ロッド２９ａ，２９ｂの間及び両端の各々に磁石３２を配置してある。アクチュエータ１４は、電磁コイル２８にリード線２５で音声信号を供給することにより磁界変化を生じさせ、超磁歪ロッド２９を伸縮させて音声信号に応じた出力振動を出力ロッド１８から出力するようになっている。なお、アクチュエータ１４は、図２２に示すアクチュエータ１や、圧電素子を用いたアクチュエータに変更することも可能である。
【００４１】
前記アクチュエータ１４のケーシング２７を前記保持具１７の筒部２０で保持する場合には、ケーシング２７と筒部２０の間に両者に接する防振用スペー（図示略）を配設して、出力ロッド１８から振動伝播具１３へ出力したときに生じる反発力による振動を保持具１７へ伝達するのを抑制させることもある。防振用スペーとしては、軟質ゴム層，スポンジ層等が選択される。
【００４２】
前記振動出力用アクチュエータ１４の取り付けの別態様としては、図３に示す如く、振動伝播具１３に出力ロッド１８を接合３４して取り付けることもある。この接合３４は、出力ロッド１８に設けた先端フランジ部１８ｂを振動伝播具１３に接着又はビス止めするか、図示は省略したが、出力ロッド１８に先端に設けた雄ネジを振動伝播具１３に設けた雌ネジに螺着する等して行われる。
【００４３】
前記振動出力用アクチュエータ１４の出力ロッド１８から出力される出力振動を振動伝播具１３へ伝達する箇所としては、図１に示すように振動伝播具１３の上面１３ａの他に、振動伝播具１３の前面１３ｂ，下面１３ｃ又は一方の側面（小口面）１３ｄのいずれかを選択することができる。
【００４４】
前記振動伝播具１３は、図１に示すように左右方向（矢符Ｌ方向）へ延設したＩ字状のものを用いているが、これに限定するものではなく、図４に示す如く、直線状に延びる方向の異なる複数の条部１３−１，１３−２，１３−３，１３−４を接合してＬ字状（同図（Ａ））、コ字状（同図（Ｂ））又はロ字状（同図（Ｃ））としたものを用いることもある。更に、ロ字状以外の多角形（三角形や五角形等）の状態に枠組みしたものを用い、振動伝播具１３を発音具１２の形状等に対応させることも可能である。
【００４５】
更に、前記振動伝播具１３は、彎曲状に延設して、図５に示す環状のものや、図６に示すＣ字状のものを選択することも可能である。また、図５に示す発音具１２は、振動板１２ａを球面状とすることもある。
【００４６】
本例の本発明発音構造１１−１乃至１１−６（図１〜図６）にあっては、振動出力用アクチュエータ１４から振動伝播具１３へ出力された振動は、振動伝播具１３の長手方向に沿う広範囲に伝播して、振動伝播具１３と発音具１２の接合箇所１５を介して発音具１２へ伝達し、発音具１２の振動板１２ａを振動させて発音させる。本発明発音構造１１−１乃至１１−６は、接合箇所１５が振動板に沿って延びるために、振動伝播具１３から発音具１２へ振動が効率よく伝達し、大きな音を発生させることができる。
【００４７】
（第２の実施の形態）
図７及び図８は第２の実施の形態に係る本発明発音構造を示すものであり、図７（Ａ）はＩ字状の振動伝播具１３を用いた場合の正面図、同図（Ｂ）は右側面図である。図８（Ａ）はＬ字状の振動伝播具１３を用いた場合の正面図、同図（Ｂ）はコ字状の振動伝播具１３を用いた場合の正面図、同図（Ｃ）はロ字状の振動伝播具１３を用いた場合の正面図である。
【００４８】
本実施の形態に係る本発明発音構造４１−１（図７参照）が前記第１の実施の形態に係る本発明発音構造１１−１（図１参照）と相違する点、本実施の形態に係る本発明発音構造４１−２（図８（Ａ）参照）が前記第１の実施の形態に係る本発明発音構造１１−２（図４（Ａ）参照）と相違する点、本実施の形態に係る本発明発音構造４１−３（図８（Ｂ）参照）が前記第１の実施の形態に係る本発明発音構造１１−３（図４（Ｂ）参照）と相違する点、及び、本実施の形態に係る本発明発音構造４１−４（図８（Ｃ）参照）が前記第１の実施の形態に係る本発明発音構造１１−４（図４（Ｃ）参照）と相違する点の各々は、発音具１２として、発音できる周波数領域の異なる複数個を備えたことである。本例の本発明取付構造４１−１乃至４１−４における上記相違点以外の構造は、前記第１の実施の形態に係る本発明取付構造１１−１乃至１１−４と実質的に同一であり、本発明取付構造１１−１乃至１１−４の構成部材等と同一な構成部材等については同一符号を図中に付してある。
【００４９】
本例の本発明取付構造４１−１乃至４１−４は、発音できる周波数領域の異なる複数個の発音具１２−１乃至１２−５を適宜組み合わせて備えることで、全体の発音できる周波数領域を広くできる。発音具１２−１乃至１２−５の発音できる周波数領域を異なるようにするためには、各振動板について、材質（例えば、金属，合成樹脂，木質又は複合素材等）、面状の大きさ、及び／又は厚みを変更することで行うことができる。  
【００５０】
（第３の実施の形態）
図９及び図１０は第３の実施の形態に係る本発明発音構造を示すものであり、図９（Ａ）はＩ字状の振動伝播具１３を用いた場合の正面図、同図（Ｂ）は平面状の振動板１２ａを有する発音具１２を用いた場合の右側面図、同図（Ｃ）は彎曲した振動板１２ａを有する発音具１２を用いた場合の右側面図である。図１０（Ａ）はＬ字状の振動伝播具１３を用いた場合の正面図、同図（Ｂ）はコ字状の振動伝播具１３を用いた場合の正面図、同図（Ｃ）はロ字状の振動伝播具１３を用いた場合の正面図である。
【００５１】
本実施の形態に係る本発明発音構造４２−１（図９参照）が前記第１の実施の形態に係る本発明発音構造１１−１（図１参照）と相違する点、本実施の形態に係る本発明発音構造４２−２（図１０（Ａ）参照）が前記第１の実施の形態に係る本発明発音構造１１−２（図４（Ａ）参照）と相違する点、本実施の形態に係る本発明発音構造４２−３（図１０（Ｂ）参照）が前記第１の実施の形態に係る本発明発音構造１１−３（図４（Ｂ）参照）と相違する点、及び、本実施の形態に係る本発明発音構造４２−４（図１０（Ｃ）参照）が前記第１の実施の形態に係る本発明発音構造１１−４（図４（Ｃ）参照）と相違する点の各々は、振動伝播具１３に二個の発音具１２を接合１５し、振動板１２ａ，１２ａどうしが空間部Ｓを介して対峙するようにしことである。本例の本発明取付構造４２−１乃至４２−４における上記相違点以外の構造は、前記第１の実施の形態に係る本発明取付構造１１−１乃至１１−４と実質的に同一であり、本発明取付構造１１−１乃至１１−４の構成部材等と同一な構成部材等については同一符号を図中に付してある。
【００５２】
本例の本発明取付構造４２−１乃至４２−４は、二個の発音具１２の各振動板１２ａが振動することで、空間部Ｓで共振を起こして特定の周波数が増強されて大きな音を発生させることができる。図１０（Ｃ）に示す本発明取付構造４２−４は、二個の発音具１２の一方に開口部１２ｂを設け、低音の拡散を促進させることもある。なお、二個の発音具１２の各振動板１２ａは、材質（例えば、金属，合成樹脂，木質又は複合素材等）、面状の大きさ、及び／又は厚みを変更することで発音できる周波数領域を異なるようにすることも可能である。
【００５３】
（第４の実施の形態）
図１１乃至図１５は第４の実施の形態に係る本発明部屋４３を示すものであり、図１１（Ａ）は本発明部屋４３の正面断面図、同図（Ｂ）は天井板５１を除いた状態の平面図である。図１２は本発明部屋４３の要部を拡大して断面した平面図である。図１３は別態様の要部を拡大して断面した正面図である。図１４は防水パン４４の洗い場域４４ａを天地ひっくり返した状態の斜視図、図１５は防水パン４４の洗い場域４４ａを拡大した正面図である。
【００５４】
本例の本発明部屋４３は、図１１に示す如く、浴室を形成するものであって、防水パン４４と、防水パン４４の周縁部４４ｄに起立させた壁パネル４５乃至４９と、出入り口扉５０と、天井板５１とを備えている。防水パン４４は、洗い場域４４ａと浴槽域４４ｂとが形成され、浴槽域４４ｂに浴槽５５を設置してある。本発明部屋４３は、室内４３ａの後方左右の内隅部４３ａ−Ｌ，４３ａ−Ｒを形成する壁パネル４７，４８及び壁パネル４５，４６に、前記第１の実施の形態に係る本発明発音構造１１−４（図４（Ｃ）参照）を備えることで、室内４３ａで音楽を聞くことができるようになっている。壁パネル４５，４６及び壁パネル４７，４８の各々は、図１２に示す如く、室外側の四角枠状のフレーム５２と、フレーム５２に振動伝達可能に接合した面材５３とを備えている。フレーム５２は、鋼製の角パイプ等から形成され、前記本発明発音構造１１−４（図４（Ｃ）参照）の振動伝播具１３に相当するものである。面材５３は、フレーム５２に接合した化粧鋼板５３ａと、化粧鋼板５３ａの室外面に接合したケイ酸カルシウム板や木質合板等の補強板５３ｂとからなるもの、又は、フレーム５２に接合したケイ酸カルシウム板等からなる基板（図示略）と、基板に貼着した複数枚のタイルとからなるもの等が用いられ、前記本発明発音構造１１−４（図４（Ｃ）参照）の発音具１２に相当するものである。
【００５５】
前記壁パネル４５，４６及び壁パネル４７，４８の各組は、室外側で、フレーム５２，５２どうしが連結具５４を用いて振動伝達可能に接合されている。壁パネル４５，４６及び壁パネル４７，４８の各組は、振動出力用アクチュエータ１４が一個宛設けられ、各アクチュエータ１４の出力振動を一組のフレーム５２，５２の内隅部４３ａ−Ｌ（４３ａ−Ｒ）側の部位へ伝達するようにしてある。各アクチュエータ１４の取り付けは、連結具５４に取り付けられ（例えば、図２又は図３に示す取付け構造を用いて取り付けられ）、出力ロッド１８から出力される出力振動を、連結具５４から一組の壁パネルのフレーム５２，５２の内隅部４３ａ−Ｌ（４３ａ−Ｒ）側の部位へ伝達させるか、又は、一組の壁パネルの一方の壁パネルのフレーム５２の内隅部４３ａ−Ｌ（４３ａ−Ｒ）側の部位に取り付けられ、出力ロッド１８から出力される出力振動を、一方の壁パネルのフレーム５２から連結具５４を介して他方の壁パネルのフレーム５２の内隅部４３ａ−Ｌ（４３ａ−Ｒ）側の部位にも伝達させるようになっている。振動出力用アクチュエータ１４から出力され各フレーム５２の内隅部４３ａ−Ｌ（４３ａ−Ｒ）側の部位へ伝達した出力振動は、フレーム５２の延設方向に沿った広範囲に伝播して、フレーム５２と面材５３の接合箇所を介して面材５３へ伝達し、面材５３を振動させて発音させる。前記壁パネル４５，４６及び壁パネル４７，４８の各組は、フレーム５２と面材５３の接合箇所が面材５３の周辺に沿って延びるために、フレーム５２から面材５３へ振動が効率よく伝達し、内隅部４３ａ−Ｒ，４３ａ−Ｌから大きな音を発生させることができる。
【００５６】
なお、本発明部屋４３は、内隅部４３ａ−Ｒ，４３ａ−Ｌから発音するステレオの発音構造以外に、壁パネル４５乃至４９のいずれか一枚に本発明発音構造を備えて、モノラル的に発音させることも勿論可能である。
【００５７】
また、本発明部屋４３は、振動出力用アクチュエータ１４の保守点検が容易となるように、図１３に示す如く、フレーム５２又は連結具５４から天井板５１の点検口５７近傍まで延長した振動伝播具５６にアクチュエータ１４を取り付けることもある。
【００５８】
前記防水パン４４は、図１４及び図１５に示す如く、前記第２の実施の形態に係る本発明発音構造４２−３（図１０（Ｂ）参照）を備えることで、室内４３ａの洗い場床面部４４ｃから発音するようになっている。防水パン４４は、繊維強化合成樹脂（ＦＲＰ）やステンレス鋼板等から成形されて平面的に広がる床面部４４ｃと、床面部４４ｃの裏面周縁等に振動伝達可能に接合したフレーム５８と、フレーム５８に取り付けたアクチュエータ１４と、フレーム５８に振動伝達可能に接合して床面部４４ｃとの間に空間部Ｓを形成する板状の発音具５９とを備えている。床面部４４ｃは、下面に補強用リブ４３ｅが必要に応じて設けられている。防水パン４４は、板状の発音具５９に補強用リブ４３ｅを接触させないようにして、空間部Ｓを床面部４４ｃの広範囲にわたって連続するように形成してある。フレーム５８は、鋼製の角パイプ等から形成され、前記本発明発音構造４２−３（図１０（Ｂ）参照）の振動伝播具１３に相当するものである。平面的に広がる床面部４４ｃ及び発音具５９は、前記本発明発音構造４２−３（図１０（Ｂ）参照）の発音具１２，１２に相当するものである。板状の発音具５９は、木質、金属若しくは合成樹脂等の単一素材から成形した単板、又は、これら単板の少なくとも二枚を貼り合わせた積層板等が用いられ、耐水処理を必要に応じて施してある。
【００５９】
前記アクチュエータ１４は、例えば、図２又は図３に示す取付け構造を用いてフレーム５８の側面５８ａ等に取り付けられる。振動出力用アクチュエータ１４からフレーム５８へ出力された振動は、フレーム５８の延設方向に沿った広範囲に伝播して、フレーム５８と床面部４４ｃの接合箇所を介して床面部４４ｃ及び発音具５９へ伝達し、床面部４４ｃ及び発音具５９を振動させて発音させる。防水パン４４の本発明発音構造は、床面部４４ｃ及び発音具５９が振動することで、空間部Ｓで共振を起こして特定の周波数が増強され、大きな音を発生させることができる。なお、防水パン４４の本発明発音構造は、発音具５９を省略することもある。
【００６０】
本例の本発明部屋４３は、前記壁パネル４５，４６及び壁パネル４７，４８の各組に備えた本発明発音構造で中高音域を担当し、防水パン４４に備えた本発明発音構造で低音域を担当することで、広範囲の音域を発音させることができる。
【００６１】
（第５の実施の形態）
図１６は第５の実施の形態に係る本発明部屋６１の床部分を示す断面図である。本発明部屋６１は、床に発音構造を備えたものであって、前記第１の実施の形態の発音具１２に相当する床面材６２と、前記振動伝播具１３に相当するものであって、床面材６２を支持する根太等からなる支持材６３と、支持材６３に取り付けた振動出力用アクチュエータ１４とを備えている。支持材６３，６４は、基礎６５に据え置いた土台６６等に取り付け固定されている。
【００６２】
振動出力用アクチュエータ１４から支持材６３へ出力された振動は、支持材６３の延設方向に沿った広範囲に伝播して、支持材６３と床面材６２の接合箇所を介して床面材６２へ伝達し、床面材６２の振動板６２ａを振動させて発音させる。本発明部屋６１の発音構造は、支持材６３と床面材６２の接合箇所が面状に広がる振動板６２ａの面に沿って延びるために、支持材６３から床面材６２へ振動が効率よく伝達し、大きな音を発生させることができる。
【００６３】
（第６の実施の形態）
図１７は第６の実施の形態に係る本発明キャビネット７１を示すものであって、（Ａ）は平面図、（Ｂ）は開いた左側扉７３の裏側及び閉じた右側扉７３の表側を一部破断して示す正面図である。本発明キャビネット７１は、キャビネット本体７２と、キャビネット本体７２の収納空間部７２ａ，７２ａを開閉する左右の扉７３，７３とを備えている。本例の本発明キャビネット７１は、キャビネット本体７２の中央に、一段又は複数段の引出し７９を備えている。
【００６４】
本発明キャビネット７１は、左右の扉７３，７３のいずれもが、前記第２の実施の形態に係る本発明発音構造４２−４（図１０（Ｃ）参照）を備えることで、左右から発音するステレオとなっている。各扉７３は、四角枠状のフレーム７４と、フレーム７４に振動伝達可能に接合して間に空間部Ｓを形成する表面材７５及び裏面材７６と、フレーム７４に取り付けた振動出力用アクチュエータ１４とを備えている。フレーム７４は、前記本発明発音構造４２−４の振動伝播具１３に相当するものであり、表面材７５及び裏面材７６は、前記本発明発音構造４２−４（図１０（Ｃ）参照）の発音具１２に相当するものである。各扉７３は、キャビネット本体７２に蝶番７７，７７を用いて開閉自在に取り付けられている。
【００６５】
各扉７３は、振動出力用アクチュエータ１４から振動伝播具であるフレーム７４へ出力された出力振動が、フレーム７４の延設方向に沿って広い範囲に伝播して発音具である表面材７５及び裏面材７６を振動させて発音する。各扉７３は、表面材７５及び裏面材７６が振動することで、空間部Ｓで共振を起こして特定の周波数が増強され、大きな音を発生させることができる。
【００６６】
本発明キャビネット７１は、各扉７３の裏面材７６に適宜大きさの開口部７８を開設し、扉７３を閉じたときに扉７３の空間部Ｓと収納空間部７２ａとを連通させるようになっており、扉７３の開口部７８から収納空間部７２ａへ拡散した音が、収納空間部７２ａで共振を起こし特定の周波数が増強させることができる。
【００６７】
本発明キャビネット７１は、左右の扉７３，７３から発音するステレオの発音構造以外に、左右の扉７３，７３のいずれか一方に本発明発音構造を備えて、モノラル的に発音させることも勿論可能である。更に、扉７３の本発明発音構造は、前記第２の実施の形態に係る本発明発音構造４２−４（図１０（Ｃ）参照）に限定するものではなく、前記第１の実施の形態に係る本発明発音構造１１−１（図１（Ａ）（Ｂ））、本発明発音構造１１−２乃至１１−４（図４）、本発明発音構造１１−６（図６）、前記第３の実施の形態に係る本発明発音構造４２−１（図９（Ａ）（Ｂ））、又は、本発明発音構造４２−２乃至４２−３（図１０）に置換することも勿論可能である。
【００６８】
本発明キャビネット７１は、図示は省略したが、洗面化粧台の洗面器を支持するベースキャビネットや、シンクを支持する流し台等に転用することも可能である。この場合、本発明キャビネット７１の上方又は近辺に設けられる設備（例えば、ミラーキャビネット等）に前記本発明発音構造１１−１（図１参照）等を備えることも可能である。この場合、本発明発音構造１１−１は、ミラーキャビネット等の設備を形成する面状の部分を発音具１２の振動板１２ａで形成すると共に、この面状の部分に振動伝播具１３を一体又は一体に接合し、振動伝播具１３にアクチュエータ１４の出力振動を伝達させるように構成する。そして、本発明発音構造１１−１は、その発音具１２の振動板１２ａの材質を、本発明キャビネット７１の振動板である表面材７５及び裏面材７６の材質と異なるようにして、発音する周波数領域を本発明キャビネット７１と異なるようにすることもある。例えば、本発明発音構造１１−１の振動板１２ａの部分を固い合成樹脂製にして中音域及び高音域を分担させ、本発明キャビネット７１の振動板である表面材７５及び裏面材７６を柔らかい木製にして低音域を分担させ、低音域から高音域までの広い音域にわたって音を出すようにする。
【００６９】
（第７の実施の形態）
図１８は第７の実施の形態に係る本発明発音構造８１−１を示すものであり、（Ａ）は正面図、（Ｂ）は平面図である。本発明発音構造８１−１は、発音具８２の振動板８２ａの全部又は一部に曲げモーメントを予め付与してあることに特徴があり、基盤８４と、基盤８４にその一部が支持８５され面状に広がる振動板８２ａを有する発音具８２と、振動板８２ａの面に沿って延設して基盤８４で支持８５され且つ発音具８２に接する振動伝播部８３と、振動伝播部８３に出力振動を伝達する振動出力用アクチュエータ１４を備え、発音具８２に付与してある曲げモーメントによる押圧力Ｐを振動伝播部８３で受けるようにしてある。
【００７０】
前記基盤８４に対する発音具８２の支持８５は、挟持、接着又はビス止め等により強固になされ、発音具８２に付与してある曲げモーメントに対する反発モーメンを生じるようにしてある。本発明発音構造８１−１は、振動伝播部８３から基盤８４への振動の伝達を抑制するために、基盤８４と振動伝播部８３の接合箇所にゴム等からなる防振材を介在させることもある。
【００７１】
前記発音具８２は、木質、金属若しくは合成樹脂等の単一素材から成形した単板、又は、これら単板の少なくとも二枚を積層した合板等が用いられる。発音具８２は、選択する材質や好みの音質に応じて、予め付与する曲げモーメントの大きさを決定する。発音具８２の振動板８２ａは、基盤８４に支持８５された箇所から振動伝播部８３に接する箇所までの両側支持領域８２ａ−１と、振動伝播部８３に接する箇所から自由端までの張出し領域８２ａ−２を備えることで、両領域８２ａ−１，８２ａ−２の発音できる周波数領域を異なるようにして、全体の発音できる周波数領域を広くできるようにしてある。発音具８２は、振動板８２ａの両側支持領域８２ａ−１のみとし、張出し領域８２ａ−２を省略することもある。
【００７２】
前記振動伝播具８３は、基部８３ａと、基部８３ａに振動伝達可能に支持される当接部８３ｂとを備えている。基部８３ａは、木質、金属若しくは合成樹脂等の単一素材から棒状に成形したもの、又は、これら単一素材から成形したものを棒状に積層したものが用いられる。当接部８３ｂは、金属、合成樹脂又はセラミック等の素材から形成された横断面が円又は三角形等の棒状となっており、前記発音具８２の振動板８２ａと線接触して、発音具８２の曲げモーメントによる押圧力Ｐを受けるようにしてある。基部８３ａは、その高寸法Ｈ１及び厚み寸法Ｔ１のいずれもが、発音具８２の厚み寸法Ｔ２より大きく、発音具８２及び基部８３ａの単独でみた曲げ剛性は、発音具８２に比べ基部８３ａの方が飛躍的に大きくなっている。このように、振動伝播具８３は、基部８３ａの曲げ剛性を発音具８２に比べて大きくすることにより、振動出力用アクチュエータ１４から受けた振動を、その長手方向（矢符Ｌ方向）に沿う広範囲へ伝達させることができ、発音具８２の振動板８２ａを広範囲に振動させて大きな音を発生させることが可能となる。
【００７３】
前記振動伝播具８３は、当接部８３ｂを用いて、発音具８２の振動板８２ａと線接触させる以外に、図示は省略したが、当接部８３ｂを省略して、基部８３ａを発音具８２の振動板８２ａに接合して、発音具８２の曲げモーメントによる押圧力Ｐを受けるようにすることも可能である。この場合、基盤８４と発音具８２の接合は、発音具８２の面方向に沿った移動を拘束することなく、温度変化等による発音具８２の伸縮を自由にして音質の変化を無くすようにする。
【００７４】
前記振動伝播具８３に対する振動出力用アクチュエータ１４の取り付けは、図２に示すように保持具１７を用いて行う場合と、図３に示すように直接接合する場合とがあり、前記第１の実施の形態で前述した通りである。
【００７５】
本発明発音構造８１−１において、振動出力用アクチュエータ１４から振動伝播具８３へ出力された振動は、振動伝播具８３の延設方向（矢符Ｌ方向）に沿った広範囲に伝播して、振動伝播具８３と発音具８２の圧接箇所を介して発音具８２へ伝達し、発音具８２の振動板８２ａを振動させて発音させる。この圧接箇所が面状に広がる振動板８２ａの面に沿って延びるために、振動伝播具８３から発音具８２へ振動が効率よく伝達し、大きな音を発生させることができる。
【００７６】
（第８の実施の形態）
図１９は第８の実施の形態に係る本発明発音構造８１−２を示す平面図である。本実施の形態に係る本発明発音構造８１−２が前記第７の実施の形態に係る本発明発音構造８１−１（図１８参照）と相違する点は、発音具８２として、発音できる周波数領域の異なる複数個を備えたことである。本例の本発明取付構造８１−２における上記相違点以外の構造は、前記第７の実施の形態に係る本発明取付構造８１−１と実質的に同一であり、本発明取付構造８１−１の構成部材等と同一な構成部材等については同一符号を図中に付してある。
【００７７】
本例の本発明取付構造８１−１は、発音できる周波数領域の異なる複数個の発音具８２−１，８２−２を適宜組み合わせて備えることで、全体の発音できる周波数領域を広くできる。発音具８２−１，８２−２の発音できる周波数領域を異なるようにするためには、各振動板について、材質（例えば、金属，合成樹脂，木質又は複合素材等）、面状の大きさ、及び／又は厚みを変更することで行うことができる。
【００７８】
（第９の実施の形態）
図２０は第９の実施の形態に係る本発明発音構造９１−１を示すものであり、（Ａ）は正面図、（Ｂ）は平面図である。本発明発音構造９１−１が前記第７の実施の形態に係る本発明発音構造８１−１（図１８参照）と相違する点は、基盤８４に発音具８２の両端側が支持８５，８５されると共に、発音具８２の中間部を振動伝達可能に振動伝播部８３で支持して、発音具８２の曲げモーメントによる押圧力Ｐを振動伝播部８３で受けるようにしたことである。本例の本発明取付構造９１−１における上記相違点以外の構造は、前記第７の実施の形態に係る本発明取付構造８１−１と実質的に同一であり、本発明取付構造８１−１の構成部材等と同一な構成部材等については同一符号を図中に付してある。
【００７９】
発音具８２は、振動伝播部８３と接する中間部から一方の支持８５された部位までの寸法と、該中間部から他方の支持８５された部位までの寸法とが等しい場合と、異なる場合とがある。この異なる場合には、発音具８２に周波数領域の異なる箇所が形成されるために、広い周波数領域にわたって発音できるようになる。
【００８０】
本例の本発明発音構造９１−１は、振動伝播部８３から発音具８２の中間部へ伝達する反力が、発音具８２の両側に分散されて基盤８２へ伝達され、安定した圧接を確保することから、外部振動の影響を受け難くすることができる。
【００８１】
（第１０の実施の形態）
図２１は第１０の実施の形態に係る本発明発音構造９１−２を示すものであり、（Ａ）は正面図、（Ｂ）は平面図である。本実施の形態に係る本発明発音構造９１−２が前記第９の実施の形態に係る本発明発音構造９１−１（図２０参照）と相違する点は、発音具８２として、発音できる周波数領域の異なる複数個を備えたことである。本例の本発明取付構造９１−２における上記相違点以外の構造は、前記第９の実施の形態に係る本発明取付構造９１−１と実質的に同一であり、本発明取付構造９１−１の構成部材等と同一な構成部材等については同一符号を図中に付してある。
【００８２】
本例の本発明取付構造９１−１は、発音できる周波数領域の異なる複数個の発音具８２−１，８２−２を適宜組み合わせて備えることで、全体の発音できる周波数領域を広くできる。発音具８２−１，８２−２の発音できる周波数領域を異なるようにするためには、各振動板について、材質（例えば、金属，合成樹脂，木質又は複合素材等）、面状の大きさ、及び／又は厚みを変更することで行うことができる。
【図面の簡単な説明】
【００８３】
【図１】第１の実施の形態に係る本発明取付構造のを示すものであり、（Ａ）はＩ字状の振動伝播具を用いた場合の正面図、（Ｂ）は平面状の振動板を有する発音具を用いた場合の右側面図、（Ｃ）は彎曲した振動板を有する発音具を用いた場合の右側面図である。
【図２】第１の実施の形態を示すものであり、振動伝播具に振動出力用アクチュエータを保持具で取り付けた状態を拡大して示す断面図である。
【図３】第１の実施の形態を示すものであり、振動伝播具に振動出力用アクチュエータを直接取り付けた状態を拡大して示す断面図である。
【図４】第１の実施の形態を示すものであり、（Ａ）はＬ字状の振動伝播具を用いた場合の正面図、（Ｂ）はコ字状の振動伝播具を用いた場合の正面図、（Ｃ）はロ字状の振動伝播具を用いた場合の正面図である。
【図５】第１の実施の形態を示すものであり、環状の振動伝播具を用いた場合であって、（Ａ）は正面図、（Ｂ）は右側断面図である。
【図６】第１の実施の形態を示すものであり、Ｃ字状の振動伝播具を用いた場合を示すものであり、（Ａ）は正面図、（Ｂ）は右側断面図である。
【図７】第２の実施の形態に係る本発明発音構造を示すものであり、（Ａ）はＩ字状の振動伝播具を用いた場合の正面図、同図（Ｂ）は右側面図である。
【図８】第２の実施の形態を示すものであり、（Ａ）はＬ字状の振動伝播具を用いた場合の正面図、同図（Ｂ）はコ字状の振動伝播具を用いた場合の正面図、同図（Ｃ）はロ字状の振動伝播具を用いた場合の正面図である。
【図９】第３の実施の形態に係る本発明発音構造を示すものであり、（Ａ）はＩ字状の振動伝播具を用いた場合の正面図、同図（Ｂ）は平面状の振動板を有する発音具を用いた場合の右側面図、同図（Ｃ）は彎曲した振動板を有する発音具を用いた場合の右側面図である。
【図１０】第３の実施の形態を示すものであり、（Ａ）はＬ字状の振動伝播具を用いた場合の正面図、同図（Ｂ）はコ字状の振動伝播具を用いた場合の正面図、同図（Ｃ）はロ字状の振動伝播具を用いた場合の正面図である。
【図１１】第４の実施の形態に係る本発明部屋を示すものであり、（Ａ）は本発明部屋の正面断面図、同図（Ｂ）は天井板を除いた状態の平面図である。
【図１２】第４の実施の形態を示すものであり、本発明部屋の要部を拡大して断面した平面図である。
【図１３】第４の実施の形態を示すものであり、別態様の要部を拡大して断面した正面図である。
【図１４】第４の実施の形態を示すものであり、防水パンの洗い場域をひっくり返した状態の斜視図である。
【図１５】第４の実施の形態を示すものであり、防水パンの洗い場域を拡大した正面図である。
【図１６】第５の実施の形態に係る本発明部屋の床部分を示す断面図である。
【図１７】第６の実施の形態に係る本発明キャビネットを示すものであって、（Ａ）は平面図、（Ｂ）は開いた扉の裏側を一部破断して示す正面図である。
【図１８】第７の実施の形態に係る本発明発音構造を示すものであり、（Ａ）は正面図、（Ｂ）は平面図である。
【図１９】第８の実施の形態に係る本発明発音構造を示す平面図である。
【図２０】第９の実施の形態に係る本発明発音構造を示すものであり、（Ａ）は正面図、（Ｂ）は平面図である。
【図２１】第１０の実施の形態に係る本発明発音構造を示すものであり、（Ａ）は正面図、（Ｂ）は平面図である。
【図２２】従来の超磁歪アクチュエータの取り付け構造を示す断面図である。
【符号の説明】
【００８４】
１２…発音具、１２ａ…振動板、１３…振動伝播具、１４…振動出力用アクチュエータ、１５…接合
【図１】
2005348294.tif 000003
【図２】
2005348294.tif 000004
【図３】
2005348294.tif 000005
【図４】
2005348294.tif 000006
【図５】
2005348294.tif 000007
【図６】
2005348294.tif 000008
【図７】
2005348294.tif 000009
【図８】
2005348294.tif 000010
【図９】
2005348294.tif 000011
【図１０】
2005348294.tif 000012
【図１１】
2005348294.tif 000013
【図１２】
2005348294.tif 000014
【図１３】
2005348294.tif 000015
【図１４】
2005348294.tif 000016
【図１５】
2005348294.tif 000017
【図１６】
2005348294.tif 000018
【図１７】
2005348294.tif 000019
【図１８】
2005348294.tif 000020
【図１９】
2005348294.tif 000021
【図２０】
2005348294.tif 000022
【図２１】
2005348294.tif 000023
【図２２】
2005348294.tif 000024